(57)【特許請求の範囲】
【請求項１】
１画面を表示する１フィールドをｎ個（ｎは自然数）のサブフィールドに分割し、前記サブフィールドにおける発光回数を２種以上の値に設定してＡＣ型プラズマディスプレイに階調表示を行わせるＡＣ型プラズマディスプレイの駆動方法において、前記ＡＣ型プラズマディスプレイの起動から予め設定された時間が経過するまでの第１の期間と、前記第１の期間後に前記ＡＣ型プラズマディスプレイに映像信号に応じた表示を行わせる第２の期間とを設定し、前記第１の期間内の各フィールドに含まれる総維持発光数を前記第２の期間内の各フィールドに含まれる総維持発光数よりも少なくし、前記第１の期間内の各フィールドに含まれるサブフィールドの数を前記第２の期間内の各フィールドに含まれるサブフィールドの数よりも少なくすることを特徴とするＡＣ型プラズマディスプレイの駆動方法。
【請求項２】
前記第１の期間内の各フィールドに含まれるサブフィールドの長さは互いに等しいことを特徴とする請求項１に記載のＡＣ型プラズマディスプレイの駆動方法。
【請求項３】
前記第１の期間内の各フィールドに含まれるサブフィールドの長さは前記第２の期間内の各フィールドに含まれる同じ順位のサブフィールドの長さに等しいことを特徴とする請求項１に記載のＡＣ型プラズマディスプレイの駆動方法。
【請求項４】
前記第１の期間内の各フィールドにおいては、走査電極の走査を行う書き込み期間内にデータ電極の電位を前記走査電極との間で対向放電が発生する値未満とすることを特徴とする請求項１乃至３のいずれか１項に記載のＡＣ型プラズマディスプレイの駆動方法。
【請求項５】
前記第１の期間の長さは、０．５乃至１秒間であることを特徴とする請求項１乃至４のいずれか１項に記載のＡＣ型プラズマディスプレイの駆動方法。
【発明の詳細な説明】
【０００１】
【発明の属する技術分野】
本発明はメモリ型のＡＣ型プラズマディスプレイの駆動方法に関し、特に、誤放電による画質の劣化の防止を図ったＡＣ型プラズマディスプレイの駆動方法に関する。
【０００２】
【従来の技術】
図４はＡＣ型プラズマディスプレイパネルを示す断面図である。プラズマディスプレイパネルには、互いに対向して配置された前面基板１１及び後面基板１５が設けられている。前面基板１１及び後面基板１５としては、ガラスからなる絶縁基板が使用される。
【０００３】
前面基板１１の後面基板１５との対向面上には、透明電極であるＩＴＯ（Indium-Tin Oxide）膜又はネサ膜からなる走査電極１２ａ及び維持電極１２ｂから構成された面放電電極対が形成されている。更に、走査電極１２ａ及び維持電極１２ｂ上には、これらの電極とドライバとの間の抵抗値を下げるために金属電極からなるバス電極１３が形成されている。バス電極１３には、通常Ｃｒ、Ｃｕ及びＣｒが順次積層されて構成された薄膜電極又はＡｇの厚膜電極が使用される。更に、これらの電極が誘電体層１４により被覆されている。誘電体層１４には、低融点のガラスが通常用いられる。更に、誘電体層１４上には、放電で発生するイオンや電子によるダメージを防ぐこと及び放電電圧を低下させることを目的にＭｇＯ膜（図示せず）が真空蒸着により０．５乃至１μｍ程度の膜厚で形成されている。
【０００４】
一方、後面基板１５の前面基板１１との対向面上には、走査電極１２ａ及び維持電極１２ｂが延びる方向に対して直交する方向に延びるＡｇ等の厚膜でデータ電極１６が形成されている。また、白色の酸化物（酸化アルミニウム又は酸化チタン等）の粉末及び低融点のガラス粉末等を混合してなるガラスペーストを印刷焼成して白色誘電体層１７がデータ電極１６を被覆するようにして形成されている。白色誘電体層１７には、蛍光体層１８からの可視発光を反射して前面基板１１側に導き可視発光の効率を高める目的がある。更に、白色誘電体層１７上には、ガス放電からの紫外光を可視光に変換する蛍光体層１８が厚膜印刷技術で塗り分けられている。
【０００５】
更に、前面基板１１と後面基板１５とは、格子状又はストライプ状の絶縁体からなる隔壁（図示せず）を介して１００乃至２００μｍの間隔をあけて対向しており、これらの間に放電セル１９が設けられている。そして、前面基板１１及び後面基板１５の間にヘリウム、ネオン又はキセノン及びこれらの混合ガス等からなる放電ガスが充填されている。なお、隔壁は、酸化アルミニウム、酸化マグネシウム及び酸化チタン等とガラスとの混合物を用いて厚膜技術で形成されている。
【０００６】
次に、上述のように構成されたプラズマディスプレイの動作のうち、選択された放電セル１９における放電動作について、図５を参照して説明する。図５はプラズマディスプレイの従来の駆動方法を示すタイミングチャートである。
【０００７】
１画面を表示するための１フィールドは、複数個のサブフィールドから構成され、各サブフィールドには、維持消去期間、予備放電期間、予備放電消去期間、書き込み期間及び維持期間が設定されている。
【０００８】
先ず、維持消去期間において、消去パルスＰｅを走査電極１２ａに印加することにより、直前のサブフィールドの維持期間内に走査電極１２ａ及び維持電極１２ｂ近傍に発生した壁電荷を消去する。
【０００９】
その後、予備放電期間において走査電極１２ａ及び維持電極１２ｂに予備放電パルスＰｐを印加することにより、走査電極１２ａと維持電極１２ｂとの間で面放電を発生させる。
【００１０】
続いて、予備放電消去期間において、消去パルスＰｅを走査電極１２ａに印加することにより、予備放電期間内に走査電極１２ａ及び維持電極１２ｂ近傍に発生した壁電荷を消去する。
【００１１】
予備放電消去期間に続いて、書き込み期間において、画面全ての走査電極１２ａを順に走査するように書き込みパルスＰｗを印加し、これと同期して所望の表示データに従ったデータパルスＰｄをデータ電極６に印加することにより、走査電極１２ａとデータ電極１６との間に選択的に放電を生じさせる。
【００１２】
書き込み期間に続いて、維持期間において、走査電極１２ａ及び維持電極１２ｂに互いに逆極性の電圧パルスＰｓｕｓを印加することにより、書き込み期間内に生じた対向放電を両電極間で面放電として維持して表示する。
【００１３】
このような駆動方法では、予備放電期間及び予備放電消去期間において、画面全体で面放電を起こした後、弱い放電を起こすことで、放電セル１９を構成する電極上の壁電荷を消去し、且つ放電セル１９内に荷電粒子からなる空間電荷を残留させることができる。従って、これらの期間に続く書き込み期間に表示データに対応して発生させる走査電極１２ａとデータ電極１６との間の対向放電を確実に発生させることができる。
【００１４】
また、書き込み期間において、走査電極１２ａとデータ電極１６との間で放電を起こさせ、この結果、走査電極１２ａ上には正の壁電荷が生成し、データ電極１６上には負の壁電荷が生成する。これらの壁電荷によって生じる電圧が、次の維持期間に走査電極１２ａ及び維持電極１２ｂに印加されるパルスＰｓｕｓに重畳されるので、面放電電極対の面放電開始電圧を超え、表示データに対応した放電を発生させて維持することができる。これにより、所望の表示パターンを得ることができる。
【００１５】
次に、この駆動方法に従って放電セルの放電を制御して階調表示を実現する方法について、図６及び図７を参照して説明する。図６は従来の駆動方法における起動してからの経過時間と表示との関係を示すタイミングチャートである。図７は１フィールドの構成を示すタイミングチャートである。
【００１６】
上述の駆動方法を用いて、維持期間の放電回数を制御することにより、階調表示を実現することができる。例えば、図６に示すように、１画面を表示する１フィールド（Ｆ）４を１秒間に５０乃至７０回程度繰り返す。この結果、人間の視覚に対しては、残像により、各々のフィールドの画面が積層されてフリッカの無い自然な画像を得ることができる。また、図７に示すように、この１フィールド期間を複数のサブフィールド（ＳＦ）に分割し、各サブフィールドの維持期間での放電回数を変えて、このサブフィールドの組み合わせで階調表示を実現することができる。図７では、１フィールドを７つのサブフィールドから構成して、各サブフィールドの先頭に維持消去期間、予備放電期間及び予備放電消去期間の複合期間５を設け、続いて書き込み期間６及び維持期間７を順に設けている。この維持期間７の放電回数を先頭のサブフィールドから順に約１／２ずつ減らして重みづけを行う。この方法によって、１フィールド内で前述のサブフィールドを選択して維持放電をさせると、選択されたサブフィールドの維持放電回数で発光輝度を制御することができるので、階調表示を実現できる。
【００１７】
【発明が解決しようとする課題】
しかしながら、ＡＣ型プラズマディスプレイパネルを上述のような従来の方法で駆動する場合、起動（電源投入）時から電源が安定するまでの期間（〜１秒）は電圧パルスのレベル及びタイミングが所定の値に達していない。このため、残留電荷の影響で書き込み期間又は維持期間に誤放電が発生し、その後、そのサブフィールドの維持期間の間発光し、誤放電による維持発光が目立つことがあるという問題点がある。
【００１８】
本発明はかかる問題点に鑑みてなされたものであって、起動時に残留電荷の影響で誤放電が発生しても、電源が安定する期間に誤放電による維持発光を目立たなくすることができるＡＣ型プラズマディスプレイの駆動方法を提供することを目的とする。
【００１９】
【課題を解決するための手段】
本発明に係るＡＣ型プラズマディスプレイの駆動方法は、１画面を表示する１フィールドをｎ個（ｎは自然数）のサブフィールドに分割し、前記サブフィールドにおける発光回数を２種以上の値に設定してＡＣ型プラズマディスプレイに階調表示を行わせるＡＣ型プラズマディスプレイの駆動方法において、前記ＡＣ型プラズマディスプレイの起動から予め設定された時間が経過するまでの第１の期間と、前記第１の期間後に前記ＡＣ型プラズマディスプレイに映像信号に応じた表示を行わせる第２の期間とを設定し、前記第１の期間内の各フィールドに含まれる総維持発光数を前記第２の期間内の各フィールドに含まれる総維持発光数よりも少なくし、前記第１の期間内の各フィールドに含まれるサブフィールドの数を前記第２の期間内の各フィールドに含まれるサブフィールドの数よりも少なくすることを特徴とする。
【００２０】
本発明においては、第１の期間において、実際に表示を行わせる第２の期間よりも各フィールドに含まれる総維持発光数を少なくしているので、起動時に残留電荷の影響で誤放電が発生しても、第１の期間では、誤放電による維持発光が目立たなくなる。従って、第１の期間の長さを残留電荷の影響で誤放電が発生しやすい時間程度とすることにより、実際に表示を行わせる第２の期間では、極めて良好な画質を得ることが可能となる。
【００２２】
なお、前記第１の期間内の各フィールドに含まれるサブフィールドの長さを互いに等しくしてもよく、前記第１の期間内の各フィールドに含まれるサブフィールドの長さを前記第２の期間内の各フィールドに含まれる同じ順位のサブフィールドの長さに等しくしてもよい。なお、ここでいう順位とは、各フィールド内で先頭サブフィールドから何番目のサブフィールドであるかを示すものである。
【００２３】
また、前記第１の期間内の各フィールドにおいては、走査電極の走査を行う書き込み期間内にデータ電極の電位を前記走査電極との間で対向放電が発生する値未満とすることが好ましい。
【００２４】
更に、前記第１の期間の長さは、例えば０．５乃至１秒間とすることができる。
【００２５】
【発明の実施の形態】
以下、本発明の実施例に係るＡＣ型プラズマディスプレイの駆動方法について、添付の図面を参照して具体的に説明する。図１は本発明の第１の実施例に係るＡＣ型プラズマディスプレイの駆動方法における起動してからの経過時間と表示との関係を示すタイミングチャートである。
【００２６】
第１の実施例においては、電源が安定するまでの期間（電源安定待機期間（第１の期間））と表示期間とで１フレームの駆動方法を変更する。図２は第１の実施例の電源安定待機期間におけるサブフィールドの構成を示すタイミングチャートである。電圧が安定するのに要する時間は電源投入（起動）から、例えば０．５乃至１秒間程度である。この期間内のフィールド１において、図２に示す波形の信号を各電極に印加する。具体的には、電源安定待機期間においては、１フィールド１を複数のサブフィールド（ＳＦ）に分割するが、各サブフィールドの維持期間では、図５に示す維持期間と比して繰返しパルス数を少なくし、例えば走査電極に維持パルスを印加しないようにする。そして、この期間経過後には、１フィールド２を複数のサブフィールド（ＳＦ）に分割し、例えば図５に示すような映像データに応じた信号を各電極に印加して表示期間（第２の期間）とし、各サブフィールドの維持期間での放電回数を変えて、このサブフィールドの組み合わせによって階調表示を行う。つまり、電源安定待機期間内の各フィールド１に含まれる総維持パルス数を表示期間内の各フィールド２に含まれる総維持パルス数よりも少なくし、電源安定待機期間内の各フィールド１に含まれる総維持発光数を表示期間内の各フィールド２に含まれる総維持発光数よりも少なくする。例えば図２に示す波形を採用する場合には、書き込み期間内のデータ電極の電位がロウレベルであるため、このサブフィールドでは維持発光が発生しない。
【００２７】
このような第１の実施例によれば、電源安定待機期間において、表示期間よりもサブフィールドの維持期間の繰返しパルス数を少なくしているので、起動時に残留電荷の影響で誤放電が発生しても、誤放電による維持発光が目立たなくなる。
【００２８】
なお、電源安定待機期間内の各フィールドを構成するサブフィールドの長さは特に限定されるものではなく、例えば一定の長さに統一してもよく、また、表示期間内の各フィールドを構成するサブフィールドのうち同じ順位にあるものの長さと等しくしてもよい。
【００２９】
次に、本発明の第２の実施例について説明する。図３は本発明の第２の実施例に係るＡＣ型プラズマディスプレイの駆動方法における起動してからの経過時間と表示との関係を示すタイミングチャートである。
【００３０】
第２の実施例においても、電源安定待機期間と表示期間とで１フレームの駆動方法を変更する。第２の実施例においては、電源安定待機期間内のフィールド３を、表示期間内のフィールド２よりも少ない複数のサブフィールド（ＳＦ）に分割する。そして、第１の実施例と同様に、電源安定待機期間内の各サブフィールドの維持期間では、図２に示すような信号を各電極に印加する。そして、この期間経過後には、１フィールド２を複数のサブフィールド（ＳＦ）に分割し、例えば図５に示すような映像データに応じた信号を各電極に印加して表示期間とし、各サブフィールドの維持期間での放電回数を変えて、このサブフィールドの組み合わせによって階調表示を行う。
【００３１】
このような第２の実施例によれば、電源安定待機期間内のサブフィールドの構成を第１の実施例と同様のものとすると共に、フィールド３を構成するサブフィールドの数をフィールド２を構成するサブフィールドの数よりも少なくしているので、起動時に残留電荷の影響で誤放電が発生しても、誤放電による維持発光がより一層目立たなくなる。
【００３２】
第２の実施例においても、電源安定待機期間内の各フィールドを構成するサブフィールドの長さは特に限定されるものではなく、例えば一定の長さに統一してもよい。
【００３３】
【発明の効果】
以上詳述したように、本発明によれば、起動時に残留電荷の影響で誤放電が発生しても、第１の期間では、誤放電による維持発光が目立たなくすることができる。従って、第１の期間の長さを残留電荷の影響で誤放電が発生しやすい時間程度とすることにより、実際に表示を行わせる第２の期間では、極めて良好な画質を得ることができる。また、前記第１の期間内の各フィールドに含まれるサブフィールドの数を前記第２の期間内の各フィールドに含まれるサブフィールドの数よりも少なくすることにより、誤放電による維持発光をより一層目立たなくすることができる。
【図面の簡単な説明】
【図１】本発明の第１の実施例に係るＡＣ型プラズマディスプレイの駆動方法における起動してからの経過時間と表示との関係を示すタイミングチャートである。
【図２】第１の実施例の電源安定待機期間におけるサブフィールドの構成を示すタイミングチャートである。
【図３】本発明の第２の実施例に係るＡＣ型プラズマディスプレイの駆動方法における起動してからの経過時間と表示との関係を示すタイミングチャートである。
【図４】ＡＣ型プラズマディスプレイパネルを示す断面図である。
【図５】プラズマディスプレイの従来の駆動方法を示すタイミングチャートである。
【図６】従来の駆動方法における起動してからの経過時間と表示との関係を示すタイミングチャートである。
【図７】１フィールドの構成を示すタイミングチャートである。
【符号の説明】
１、２、３、４；フィールド
１１；前面基板
１２ａ；走査電極
１２ｂ；維持電極
１３；バス電極
１４；誘電体層
１５；後面基板
１６；データ電極
１７；白色誘電体層
１８；蛍光体層
【図１】
0004138292.tif 000002
【図２】
0004138292.tif 000003
【図３】
0004138292.tif 000004
【図４】
0004138292.tif 000005
【図５】
0004138292.tif 000006
【図６】
0004138292.tif 000007
【図７】
0004138292.tif 000008